(57)【要約】【課題】耐磁性能を確保でき、時計のデザインの制約を少なくできる電子時計を提供すること。【解決手段】電子時計は、文字板と、第２モーター５２と、文字板および第２モーター５２との間に配置される耐磁板６０とを有する。第２モーター５２は、磁心５２２と、磁心５２２に巻回されたコイルと、磁心５２２に接合されたステーター５２５と、ステーター５２５の穴に配置されるローター５２７を有する。耐磁板６０は、時計表面側から見た平面視で磁心５２２と重なる位置に開口部６１が形成される。開口部６１の最小開口幅寸法は、耐磁板６０と磁心５２２との距離よりも小さい。【選択図】図４
2017026461.tif 000002
【特許請求の範囲】
【請求項１】
文字板と、
磁心、前記磁心に巻回されたコイル、前記磁心に接合されたステーター、前記ステーターの穴に配置されるローターを有するステッピングモーターと、
前記文字板および前記ステッピングモーターの間に配置される耐磁板とを有し、
前記耐磁板は、時計表面側から見た平面視で前記磁心と重なる位置に形成された開口部を有し、
前記開口部の最小開口幅寸法は、前記耐磁板と前記磁心との距離よりも小さい
ことを特徴とする電子時計。
【請求項２】
請求項１に記載の電子時計において、
前記ローターは２極のローターであり、
前記耐磁板の開口部は、前記ローターの静的安定位置におけるＮ極とＳ極とを結ぶ方向に対して交差する方向に沿って形成されている
ことを特徴とする電子時計。
【請求項３】
請求項１または請求項２に記載の電子時計において、
前記耐磁板の開口部は、内周面が耐磁板内に閉じた穴で形成されている
ことを特徴とする電子時計。
【請求項４】
請求項１から請求項３のいずれか一項に記載の電子時計において、
前記耐磁板は、時計表面側から見た平面視で前記ローターと重なる面積が、前記ローターの平面面積の半分以上である
ことを特徴とする電子時計。
【請求項５】
文字板と、
磁心、前記磁心に巻回されたコイル、前記磁心に接合されたステーター、前記ステーターの穴に配置されるローターを有するステッピングモーターと、
前記文字板および前記ステッピングモーターの間に配置される耐磁板とを有し、
前記耐磁板は、時計表面側から見た平面視で前記ステッピングモーターと重なる位置に形成された開口部を有し、
前記開口部には、複数の歯車で構成された輪列が配置され、前記複数の歯車のうちの少なくとも一つは金属製の歯車である
ことを特徴とする電子時計。
【請求項６】
請求項５に記載の電子時計において、
前記金属製の歯車は、平面視で前記磁心に重なるように配置されている
ことを特徴とする電子時計。
【発明の詳細な説明】
【技術分野】
【０００１】
本発明は、耐磁板を有する電子時計に関する。
【背景技術】
【０００２】
従来、外部磁界によるモーターなどへの影響を防止、軽減するために、ムーブメント内に耐磁板を組み込んだ電子時計が知られている（特許文献１）。
特許文献１の電子時計は、ムーブメント内のモーターを覆う耐磁板を、ムーブメントの文字板側に配置している。すなわち、耐磁板とモーターとは、時計の表面側から見た平面視で、つまり時計の厚さ方向に重なるように配置し、時計表面側から進入した外部磁界が耐磁板を通り、モーター側に流れないように構成していた。
なお、特許文献１の耐磁板の一部には、歯車が配置される穴が形成されているが、この穴は、少なくともモーターの磁心に平面視で重ならない位置に形成されている。
【先行技術文献】
【特許文献】
【０００３】
【特許文献１】特開２０１３−５４０４３号公報
【発明の概要】
【発明が解決しようとする課題】
【０００４】
特許文献１の電子時計では、モーターの磁心を耐磁板で覆っていたため、前記磁心と時計の厚さ方向に重なる位置に歯車を配置することができなかった。このため、指針の軸をモーターと平面視で重なる位置に配置することもできず、指針の配置などの時計のデザインに制約があった。
【０００５】
本発明の目的は、耐磁性能を確保でき、時計のデザインの制約を少なくできる電子時計を提供することにある。
【課題を解決するための手段】
【０００６】
本発明の電子時計は、文字板と、磁心、前記磁心に巻回されたコイル、前記磁心に接合されたステーター、前記ステーターの穴に配置されるローターを有するステッピングモーターと、前記文字板および前記ステッピングモーターの間に配置される耐磁板とを有し、前記耐磁板は、時計表面側から見た平面視で前記磁心と重なる位置に形成された開口部を有し、前記開口部の最小開口幅寸法は、前記耐磁板と前記磁心との距離よりも小さいことを特徴とする。
【０００７】
本発明によれば、前記ステッピングモーターの文字板側つまり時計表面側に耐磁板が配置されているので、時計表面側から時計内部に外部磁界が入っても、磁界は前記耐磁板に流れるため、ステッピングモーターの磁心などに磁界が流れてモーターの動作に影響することを防止でき、耐磁性能を確保できる。
さらに、耐磁板にはステッピングモーターの磁心と、時計表面側から見た平面視で重なる位置に開口部が形成されているので、この開口部に輪列を配置することができる。これにより、ステッピングモーターの磁心に平面視で重なる位置に歯車を配置でき、この歯車に指針を取り付けることもできる。したがって、ステッピングモーターと平面視で重なる位置に指針を配置することもでき、時計のデザイン自由度を高めることができる。
また、耐磁板に入った磁界は、透磁率が高い耐磁板を通って流れるが、耐磁板の透磁率および断面積によって決まる飽和磁束密度に達すると、残りの磁界は開口部（空気層）を流れることになる。この際、前記開口部の最小開口幅寸法が、耐磁板と磁心との距離よりも小さいため、開口部の端縁から開口部に出た磁界は、磁心に流れずに開口部の対向縁に入る。このため、開口部から磁心に磁界が流れることを防止でき、外部磁界がモーターの動作に影響することを防止できる。
【０００８】
本発明の電子時計において、前記ローターは２極のローターであり、前記耐磁板の開口部は、前記ローターの静的安定位置におけるＮ極とＳ極とを結ぶ方向に対して交差する方向に沿って形成されていることが好ましい。
【０００９】
電子時計用のステッピングモーターは、通常、２極単相のステッピングモーターであり、ローターはステーターのノッチの位置などによって、所定の静的安定位置を有する。このため、ステッピングモーターは、静的安定位置にあるローターのＮ極およびＳ極を結ぶ方向に沿った方向は耐磁性能が最も弱く、前記方向に直交する方向は耐磁性能が最も強くなる。したがって、耐磁板の開口部を、ステッピングモーターの耐磁性能が最も弱い方向に沿って形成しないことで、ステッピングモーターの耐磁性能が最も弱い方向に、前記開口部が影響を与えることを防止できる。このため、耐磁板に開口部を形成しても、ステッピングモーターに対して必要な耐磁性能を確保できる。
【００１０】
本発明の電子時計において、前記耐磁板の開口部は、内周面が耐磁板内に閉じた穴で形成されていることが好ましい。
【００１１】
耐磁板の開口部が耐磁板の外周縁まで繋がった溝形状であると、例えば、開口部の形状が直線状の場合に、外部磁界が耐磁板の外周部から前記開口部を介して直接ステッピングモーター部分に入る可能性がある。
これに対し、開口部の内周面が耐磁板内で閉じており、耐磁板の外周縁に繋がらない穴で開口部が形成されていれば、耐磁板の外周部から前記穴部分に磁界が直接入ることがなく、電子時計の耐磁性能を容易に向上できる。
【００１２】
本発明の電子時計において、前記耐磁板は、時計表面側から見た平面視で前記ローターと重なる面積が、前記ローターの平面面積の半分以上であることが好ましい。
【００１３】
前記耐磁板と前記ローターとが前記平面視で重なる面積が、前記ローターの平面面積の半分以上であれば、ローターに外部磁界が入り難くでき、耐磁性能を容易に確保できる。
【００１４】
本発明の電子時計は、文字板と、磁心、前記磁心に巻回されたコイル、前記磁心に接合されたステーター、前記ステーターの穴に配置されるローターを有するステッピングモーターと、前記文字板および前記ステッピングモーターの間に配置される耐磁板とを有し、前記耐磁板は、時計表面側から見た平面視で前記ステッピングモーターと重なる位置に形成された開口部を有し、前記開口部には、複数の歯車で構成された輪列が配置され、前記複数の歯車のうちの少なくとも一つは金属製の歯車であることを特徴とする。
【００１５】
耐磁板の開口部に、金属製の歯車を含む輪列が配置されていれば、その輪列における金属製の歯車によって、耐磁板と同様に外部磁界を流すバイパス効果が得られ、開口部からステッピングモーターに磁界が流れることを防止できる。したがって、ステッピングモーターと平面視で重なる位置に指針を配置することもでき、耐磁性能を確保できて、時計のデザイン自由度も高めることができる。
【００１６】
本発明の電子時計において、前記金属製の歯車は、平面視で前記磁心に重なるように配置されていることが好ましい。
【００１７】
前記開口部に配置された輪列において、少なくとも平面視で前記磁心に重なる歯車を、金属製の歯車としたので、磁心に外部磁界が入り難くでき、耐磁性能を容易に確保できる。
【図面の簡単な説明】
【００１８】
【図１】本発明の電子時計を示す正面図。
【図２】前記電子時計のムーブメントの要部を示す斜視図。
【図３】前記ムーブメントの要部を示す断面図。
【図４】耐磁板とステッピングモーターとの位置関係を示す図。
【図５】第２モーターと耐磁板との位置関係を示す図。
【発明を実施するための形態】
【００１９】
［電子時計の構成］
本発明の電子時計１は、指針を駆動する駆動手段としてステッピングモーターを備える電子時計である。本実施形態の電子時計１は、さらに、地球の上空を所定の軌道で周回している複数のＧＰＳ衛星のうち、少なくとも１つのＧＰＳ衛星からの衛星信号を受信して時刻情報を取得し、少なくとも３つのＧＰＳ衛星からの衛星信号を受信して位置情報を算出して取得するように構成されている。
【００２０】
［電子時計の概略構成］
図１は、電子時計１の正面図である。電子時計１は、図１に示すように、外装ケース３と、カバーガラスと、裏蓋とを備えている。外装ケース３は、金属で形成された円筒状のケース３１に、セラミックで形成されたベゼル３２が嵌合されて構成されている。
外装ケース３の側面には、ボタン４と、ボタン５と、リューズ６とが設けられている。
【００２１】
外装ケース３内には、文字板１１と、ダイヤルリング１２と、指針２１〜２８と、カレンダー車である日車２９とが配置されている。
文字板１１は、外装ケース３の内側で時刻を表示する円形の板材であり、プラスチックなどの光透過性の材料で形成されている。
ダイヤルリング１２は、ベゼル３２の内周面に沿って配置されたプラスチック製のリング部材で構成されている。ダイヤルリング１２には、６０分割された目盛が表記されている。
【００２２】
指針２１，２２，２３は、文字板１１の平面中心に配置される指針軸２１Ａ，２２Ａ，２３Ａ（図２参照）に取り付けられた秒分時針である。
指針２１は、第１時刻（ローカルタイム：例えば外国にいる場合の現地時刻）の「秒」を表示する秒針である。指針２２は、第１時刻の「分」を表示する分針である。指針２３は、第１時刻の「時」を表示する時針である。第１時刻の「秒」は、後述する第２時刻の「秒」と同じため、ユーザーは、指針２１を確認することで、第２時刻の「秒」も把握できる。
また、ダイヤルリング１２には、１２分位置にアルファベットの「Ｙ」と、１８分位置にアルファベットの「Ｎ」の英字が表記されている。指針２１は、「Ｙ」および「Ｎ」のいずれか一方を指示し、衛星信号の受信結果を表示するモード針を兼ねている。
【００２３】
指針２４は、文字板１１の平面中心から２時方向の位置に設けられている指針軸２４Ａ（図２参照）に取り付けられ、曜日を表示する曜日針である。
指針２５は、文字板１１の平面中心から１０時方向の位置に設けられている指針軸２５Ａ（図２参照）に取り付けられ、各種情報を指示するモード針である。
指針２５の回転領域の外周には、「ＤＳＴ」の英字と「○」の記号が表記されている。ＤＳＴ（daylight saving time）は夏時間を意味する。指針２５は、これらの英字と記号を指示することで、夏時間（ＤＳＴ：夏時間ＯＮ、○：夏時間ＯＦＦ）の設定を表示する。
また、指針２５の回転領域の外周には、円周に沿って三日月鎌状の記号が表記されている。この記号は二次電池のパワーインジケーターであり、電池容量に応じた位置を指針２５が指示することで電池容量が表示される。
また、指針２５の回転領域の外周には、飛行機形状の記号が表記されている。この記号は、機内モードを表す。指針２５は、この記号を指示することで、機内モードに設定され、受信が行われないことを表示する。
また、指針２５の回転領域の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
【００２４】
指針２６、指針２７は、文字板１１の平面中心から６時方向の同じ位置に設けられている指針軸２６Ａ，２７Ａ（図２参照）に取り付けられている。指針２６は、第２時刻（ホームタイム：例えば外国にいる場合の日本の時刻）の「分」を表示するホームタイム用の分針であり、指針２７は、第２時刻の「時」を表示するホームタイム用の時針である。
指針２８は、文字板１１の平面中心から４時方向の位置に設けられている指針軸２８Ａに取り付けられている。指針２８は、第２時刻の午前（ＡＭ）および午後（ＰＭ）を表示するＡＭ／ＰＭ針である。
【００２５】
文字板１１の４時位置には、カレンダー小窓１５が形成されている。カレンダー小窓１５は、文字板１１を矩形状に開口した開口部であり、カレンダー小窓１５から日車２９に印刷された数字が視認可能となっている。日車２９は、開口部から数字を視認させることで、第１時刻に対応した年月日の「日」を表示する。
以上のとおり、電子時計１は、複数の指針２１〜２８を有する多針の多機能時計である。
【００２６】
［ムーブメント］
外装ケース３内には、図２，３に示すように、時計用のムーブメント１０が配置されている。なお、図２は、ムーブメント１０において、日車押さえ５０、ソーラーパネル４２などを外した状態の斜視図であり、図３はムーブメント１０の要部の断面図である。
ムーブメント１０は、図２に示すように、地板４０と、外装ケース３の内周に沿って環状に形成されて地板４０を受ける地板受けリング４１とを備える。
また、ムーブメント１０は、図３に示すように、地板４０の文字板１１側に配置されるソーラーパネル４２と、地板４０と共に輪列を保持する輪列受け４４、４５と、回路基板４６と、回路基板４６の裏蓋側に配置された耐磁板４７と、耐磁板４７を介して回路基板４６を押さえる回路押さえ４８とを備える。
さらに、地板４０には、ソーラーパネル４２で充電される二次電池（図示略）が配置される。
【００２７】
文字板１１と地板４０との間には、本発明の耐磁板６０と、日車２９と、日車押さえ５０と、ソーラーパネル４２とが配置されている。耐磁板６０は、筒車である指針軸２３Ａを押さえる筒車押さえを兼ねている。
【００２８】
［モーターおよび輪列］
ムーブメント１０において、文字板１１側の耐磁板６０と、裏蓋側の耐磁板４７との間には、図４にも示すように、第１モーター５１から第６モーター５６の６個のモーターが配置されている。なお、耐磁板６０と各モーター５１〜５６間には、地板４０が配置されるため、各モーター５１〜５６は点線（想像線）で示す。
第１モーター５１は、図示略の第１輪列を介して指針軸２１Ａに取り付けられた指針（秒針）２１を駆動する。このため、第１モーター５１は秒モーターとして機能する。
第２モーター５２は、図示略の第２輪列を介して指針軸２２Ａおよび指針軸２３Ａに取り付けられた指針（分針）２２および指針（時針）２３を駆動する。このため、第２モーター５２は、時分モーターとして機能する。
第３モーター５３は、図示略の第３輪列を介して指針軸２４Ａに取り付けられた指針２４を駆動する。
第４モーター５４は、図示略の第４輪列を介して指針軸２５Ａに取り付けられた指針２５を駆動する。
【００２９】
第５モーター５５は、第５輪列１５０を介して指針軸２６Ａおよび指針軸２７Ａに取り付けられた指針２６および指針２７を駆動する。このため、第５モーター５５は、ホームタイム用の時分モーターとして機能する。さらに、第５輪列１５０には、指針２８を駆動する第６輪列１６０が連動するように配置されている。この第５輪列１５０および第６輪列１６０の詳細は後述する。
【００３０】
第６モーター５６は、第７輪列１７０を介して日車２９を駆動する。第７輪列１７０は、図示略の第１〜第４中間車と、図２に示す日回し車１７１とを備える。日回し車１７１は、耐磁板６０の開口部６２に配置され、耐磁板６０の表面よりも文字板１１側に突出しており、耐磁板６０の表面に配置される日車２９に噛み合い、日車２９を駆動する。
なお、日車２９は、地板４０に設けられて耐磁板６０の開口部から突出するガイド部４０１〜４０４にガイドされている。
【００３１】
［モーターの構造］
各モーター５１〜５６は、時計用に用いられる２極単相のステッピングモーターである。これらの各モーター５１〜５６の構成を、第２モーター５２を用いて説明すると、図４，５にも示すように、コイルブロック５２１と、ステーター５２５と、ローター５２７とを備えている。コイルブロック５２１は、磁心５２２と、コイル枠５２３と、コイル枠５２３間で磁心５２２に巻回されたコイル５２４とを備えて構成される。
ステーター５２５は、磁心５２２に接合され、ローター５２７が配置される穴を備えている。
【００３２】
ローター５２７はＮ極およびＳ極の２極に着磁されたローターである。第２モーター５２においては、ローター５２７が静的安定位置にある場合に、Ｎ極およびＳ極を結ぶ方向が磁心５２２の軸方向（長手方向）にほぼ沿うように設定されている。
このため、第２モーター５２は、磁心５２２の軸方向に耐磁性能が弱く、磁心５２２の軸方向に直交する方向に耐磁性能が強いように設計されている。
他のモーター５１、５３〜５６も第２モーター５２と同じ構成である。
【００３３】
［第５輪列および第６輪列］
次に、第５モーター５５によって駆動される第５輪列１５０および第６輪列１６０について説明する。
第５輪列１５０は、図３に示すように、中間歯車１５１、歯車１５２、歯車１５３、歯車１５４を備えて構成されている。
中間歯車１５１は、第５モーター５５のローター５５７のカナに噛み合う。中間歯車１５１のカナには、歯車１５２が噛み合う。歯車１５２には指針軸２６Ａが一体に固定され、この指針軸２６Ａには、ホームタイム用の分針である指針２６が取り付けられている。
また、歯車１５２のカナには、歯車１５３が噛み合い、歯車１５３のカナには、ホームタイム用の筒車に相当する歯車１５４が噛み合う。歯車１５４の指針軸２７Ａには、ホームタイム用の時針である指針２７が取り付けられている。
【００３４】
第６輪列１６０は、図３に示すように、第１中間車１６１、第２中間車１６２、歯車１６３を備えて構成されている。これらの各歯車１６１〜１６３のうち、第２モーター５２の磁心５２２に平面視で重なる歯車１６３は金属製の歯車である。また、第１中間車１６１、第２中間車１６２は、プラスチック製の歯車である。
第１中間車１６１は、歯車１５３のカナに噛み合う。第２中間車１６２は、第１中間車１６１のカナに噛み合う。歯車１６３は、第２中間車１６２に噛み合う。歯車１６３には、指針軸２８Ａが一体に形成され、この指針軸２８Ａには指針２８が取り付けられている。
これにより、指針２８は、指針２６、指針２７に連動して駆動し、２４時間で１回転し、午前、午後を指示する。
【００３５】
ここで、歯車１６３は、第２モーター５２に平面視で重なるため、地板４０側に軸を伸ばして軸支することができない。このため、本実施形態では、地板４０に歯車１６３側に突出する軸部４１０を形成し、歯車１６３に軸部４１０が挿入される軸穴部１６３Ａを形成している。これにより、時計部品の中で厚さ寸法が比較的大きなモーター５２に平面視で重なる位置に、指針２８が取り付けられた歯車１６３を配置することができる。
【００３６】
［耐磁板］
耐磁板６０は、図４に示すように、第１モーター５１〜第６モーター５６の上面（文字板１１側の面）をほぼ覆うように配置される。耐磁板６０には、図２、４に示すように、第６輪列１６０を配置するための開口部６１が形成されている。この開口部６１は、内周面が耐磁板６０内で閉じた穴である。また、耐磁板６０には、第７輪列１７０の日回し車１７１が配置される開口部６２と、各指針軸２１Ａ〜２３Ａ、２５Ａ〜２７Ａが配置される開口部６３、６４、６５とが形成されている。
また、日車２９をガイドするために地板４０に形成されたガイド部４０１〜４０４のうち、ガイド部４０１は開口部６１に配置され、ガイド部４０３は開口部６２に配置され、ガイド部４０４は開口部６４に配置される。ガイド部４０２は、開口部６６に配置される。耐磁板６０には、その他、地板４０との干渉を避けるための開口部や、針位置検出用の光センサの配置用の開口部６７が形成されている。
【００３７】
耐磁板６０の開口部６１には、歯車１５４のカナと、第６輪列１６０の第１中間車１６１、第２中間車１６２、歯車１６３と、ガイド部４０１とが配置されている。したがって、開口部６１は、第６輪列１６０およびガイド部４０１の平面形状に合わせて、細長い穴状に形成されている。
そして、第２モーター５２に平面視で重なる位置に、歯車１６３および指針２８を配置するため、開口部６１は、第２モーター５２の磁心５２２を横断して形成されている。すなわち、第２モーター５２において耐磁性能が強い方向、つまりローター５２７が静的安定位置にある場合に、Ｎ極およびＳ極を結ぶ方向に直交する方向に沿って開口部６１が形成されている。このため、第２モーター５２に平面視で重なるように開口部６１が形成されていても、必要な耐磁性能を確保することができる。
また、第２モーター５２のローター５２７は、一部のみが開口部６１に平面視で重なり、ローター５２７の平面の半分以上の領域は耐磁板６０で覆われているため、開口部６１からローター５２７に外部磁界が入ることも殆ど無く、ローター５２７の動作が外部磁界に影響することを防止できる。
【００３８】
開口部６１において、磁心５２２に平面視で重なる部分には、突出部６１１、６１２が形成され、図５に示すように、その最小開口幅寸法（突出部６１１、６１２間の寸法）Ｗ１は、耐磁板６０と磁心５２２までの距離Ｈ１よりも小さく設定されている。
すなわち、開口部６１において、磁心５２２と重なる部分には突出部６１１、６１２が形成され、この突出部６１１、６１２間の寸法が磁心５２２に重なる開口部６１の最小開口幅寸法Ｗ１とされている。
【００３９】
なお、耐磁板６０の他の開口部６２〜６６では、モーター５１、５３〜５６の磁心を横断するように平面視で重なる開口部は形成されていない。すなわち、モーター５３〜５６の磁心は耐磁板６０で完全に被覆されている。また、第１モーター５１の磁心の一部は開口部６２と平面視で重なるが、磁心の殆どは耐磁板６０と平面的に重なっており、耐磁性能は確保されている。
【００４０】
このような本実施形態において、耐磁板６０における磁界の流れについて図４に基づいて説明する。
図４に示すように、電子時計１の内部に入った外部磁界は、透磁率が高い耐磁板６０を通過する。この際、図４の矢印Ｍ１、Ｍ２のように、磁界（磁束密度）は、耐磁板６０において開口部６１〜６７以外の部分を流れるが、その部分の磁束密度が飽和した場合には、矢印Ｍ３に示すように、磁界は開口部６１の空気層を流れる。この際、磁心５２２を横断する開口部６１の、磁心５２２と平面視で重なる領域において最も短い寸法である最小開口幅寸法Ｗ１が、耐磁板６０および磁心５２２間の距離Ｈ１よりも大きい場合には、開口部６１に飛び出した磁界が磁心５２２に流れてしまい、第２モーター５２の動作に影響する。
これに対し、本実施形態では、最小開口幅寸法Ｗ１を距離Ｈ１よりも小さくしているので、磁界は突出部６１１から開口部６１を介して突出部６１２側に流れ、磁心５２２に流れることを防止できる。
【００４１】
また、開口部６１に配置した歯車１６３を金属製としたので、耐磁板６０から歯車１６３部分をバイパスして磁界を流すこともできる。この場合も、第２モーター５２に磁界が流れることを防止できる。
【００４２】
［実施形態の作用効果］
電子時計１では、耐磁板６０において、第２モーター５２の磁心５２２と時計表面側から見た平面視で重なる位置に開口部６１を形成し、この開口部６１の最小開口幅寸法Ｗ１を耐磁板６０と磁心５２２との距離Ｈ１よりも小さく設定したので、開口部６１の突出部６１１から開口部６１に出た磁界は、磁心５２２に流れずに開口部６１の対向縁である突出部６１２に入る。このため、開口部６１から磁心５２２に磁界が流れることを防止でき、外部磁界が第２モーター５２の動作に影響することを防止できる。
【００４３】
また、耐磁板６０に、第２モーター５２に平面視で重なる開口部６１を形成し、開口部６１に第６輪列１６０を配置しているので、第２モーター５２と平面視で重なる位置に指針２８を配置でき、電子時計１のデザイン自由度を高めることができる。
さらに、耐磁板６０の開口部６１に第６輪列１６０を配置しているので、耐磁板６０と第６輪列１６０との高さ位置を異ならせた場合に比べて、第２モーター５２と、耐磁板６０と、第６輪列１６０とを合わせた時計厚さ方向の寸法を小さくできる。このため、電子時計１を薄型化できる。これにより、モーター５１〜５６を耐磁板６０および耐磁板４７で挟んでムーブメント１０を構成しても、ムーブメント１０の厚さ寸法を抑制でき、モーター５１〜５６の文字板１１側にも第６輪列１６０を設けることができる。したがって、電子時計１に配置できる指針の数を増やすことができて電子時計１を多機能化でき、かつ、電子時計１の厚さ寸法が増大することを抑制でき、デザイン性と多機能化とを両立した電子時計１を提供できる。
【００４４】
さらに、開口部６１は、第２モーター５２の耐磁性能が強い方向に第２モーター５２を横断して形成されているので、耐磁板６０の開口部６１が、第２モーター５２の耐磁性能が最も弱い方向に影響を与えることを防止できる。このため、耐磁板６０に開口部６１を形成しても、第２モーター５２に対して必要な耐磁性能を確保できる。
【００４５】
また、開口部６１は、内周面が耐磁板６０内に閉じた穴で形成されているので、耐磁板６０の外周部から開口部６１に直接磁界が入ることがない。このため、電子時計１の耐磁性能を容易に向上できる。
【００４６】
第２モーター５２のローター５２７と耐磁板６０とが平面視で重なる面積が、ローター５２７の平面面積の半分以上であるため、ローター５２７が外部磁界の影響で誤動作することを防止でき、第２モーター５２の耐磁性能を容易に確保できる。
【００４７】
耐磁板６０の開口部６１に、金属製の歯車１６３を含む第６輪列１６０が配置されているので、第６輪列１６０の歯車１６３によって、耐磁板６０と同様に外部磁界を流すバイパス効果が得られ、開口部６１から第２モーター５２に磁界が流れることを防止できる。
【００４８】
［他の実施形態］
なお、本発明は前述の実施形態に限定されるものではなく、本発明の目的を達成できる範囲での変形、改良等は本発明に含まれるものである。
例えば、開口部６１に配置する第６輪列１６０の歯車１６１〜１６３をすべて金属製の歯車としてもよい。第６輪列１６０において、第２モーター５２に平面視で重なる歯車は金属製であることが好ましく、特に、磁心５２２に平面視で重なる歯車は金属製とすることが好ましい。
また、開口部６１の最小開口幅寸法Ｗ１を、耐磁板６０および磁心５２２間の距離Ｈ１よりも小さくして耐磁性能を確保している場合には、開口部６１に配置される歯車１６１〜１６３をすべて樹脂製の歯車で構成することもできる。
【００４９】
ローターと平面視で重なる耐磁板は、ローターの平面面積の半分以上であることが好ましいが、モーター５１のローターのように、耐磁板が重なる面積はローターの平面面積の半分未満でもよい。
【００５０】
耐磁板６０の開口部は、内周面が耐磁板内に閉じた穴で形成されていることが好ましいが、耐磁板６０の外周縁まで繋がる溝状の開口部でもよい。この場合、開口部におけるステッピングモーターと平面視で重なる領域と、開口部において外周縁で開口する部分とが直線で繋がることがないように構成することが外部磁界の進入を防止できる点で好ましい。
【００５１】
耐磁板６０の開口部は、ローターの静的安定位置におけるＮ極とＳ極とを結ぶ方向に対して交差する方向に沿って形成されていればよく、必ずしも前記方向に直交する方向でなくてもよい。例えば、ローターの静的安定位置におけるＮ極とＳ極とを結ぶ方向に対して、６０度から１２０度の範囲に開口部が形成されていてもよい。
さらに、第２モーター５２は耐磁性能が弱い方向が磁心５２２の長手方向に沿っていたため、開口部６１の形成方向は磁心５２２の長手方向に略直交する方向に形成していたが、耐磁性能が弱い方向が磁心の長手方向に直交するステッピングモーターの場合には、開口部の形成方向は磁心の長手方向に沿って形成すればよい。
【符号の説明】
【００５２】
１…電子時計、３…外装ケース、１０…ムーブメント、１１…文字板、１５…カレンダー小窓、２１〜２８…指針、２９…日車、３１…ケース、４０…地板、４２…ソーラーパネル、４６…回路基板、４７…耐磁板、５１〜５６…モーター、６０…本発明の耐磁板、６１…開口部、１６０…第６輪列、５２１…コイルブロック、５２２…磁心、５２４…コイル、５２５…ステーター、５２７…ローター、６１１、６１２…突出部、Ｈ１…耐磁板と磁心の距離、Ｗ１…開口部の最小開口幅寸法。
【図１】
2017026461.tif 000003
【図２】
2017026461.tif 000004
【図３】
2017026461.tif 000005
【図４】
2017026461.tif 000006
【図５】
2017026461.tif 000007